【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
下りリンク方向と上りリンク方向の両方向の通信のために、無線通信システムで使用される指向性アンテナの角度設定を決定するための方法であって、
前記指向性アンテナに関連する少なくとも２つの角度設定について、
前記上りリンクの所定の送信信号の受信電力を計算することと、
前記下りリンクの前記所定の送信信号に関連するチャンネル上のノイズの関数として、評価指標を計算することと、
前記指向性アンテナを使用する前記通信システムの全パフォーマンスを向上させるために、前記受信電力と前記評価指標の組合せに基づいて、前記指向性アンテナの角度設定を選択することであって、前記選択された角度は、前記下りリンク方向と前記上り方向の両方の通信のための、次善の角度であることとを備えることを特徴とする方法。
【請求項２】
前記所定の送信信号は、パイロット信号またはビーコン信号であることを特徴とする請求項１に記載の方法。
【請求項３】
前記受信電力、前記評価指標または両方に、少なくとも１つの重み付けを適用することをさらに含むことを特徴とする請求項１に記載の方法。
【請求項４】
前記少なくとも１つの重み付けは、前記指向性アンテナの動作環境または指向性に関連することを特徴とする請求項３に記載の方法。
【請求項５】
前記動作環境に関連する前記重み付けを計算することをさらに含むことを特徴とする請求項４に記載の方法。
【請求項６】
前記動作環境に関連する前記重み付けを受信することをさらに含むことを特徴とする請求項４に記載の方法。
【請求項７】
前記指向性アンテナの前記指向性に関連する前記重み付けは、相関係数を含むことを特徴とする請求項４に記載の方法。
【請求項８】
前記所定の送信信号を探索することをさらに含むことを特徴とする請求項１に記載の方法。
【請求項９】
前記探索時に、前記受信電力および評価指標の計算が行われることを特徴とする請求項８に記載の方法。
【請求項１０】
前記評価指標は、シンボル当たりのエネルギーを、前記チャンネルの総ノイズで割った値であると定義されることを特徴とする請求項１に記載の方法。
【請求項１１】
それぞれの角度設定について生成された前記組合せの最大値に対応するスキャン角度で、上りリンクを確立しようと試みることをさらに含むことを特徴とする請求項１に記載の方法。
【請求項１２】
前記上りリンクを確立することができない場合は、前記組合せのさらに低い値に対応するスキャン角度で再試行することをさらに含むことを特徴とする請求項１１に記載の方法。
【請求項１３】
符号分割多重アクセス（ＣＤＭＡ）ネットワーク、周波数分割多重アクセス（ＦＤＭＡ）ネットワーク、時分割多重アクセス（ＴＤＭＡ）ネットワーク、または無線ローカルエリアネットワーク（ＷＬＡＮ）で使用されることを特徴とする請求項１に記載の方法。
【請求項１４】
下りリンク方向と上りリンク方向の両方向の通信のために、無線通信システムで使用される装置であって、
所定の送信信号を受信する指向性アンテナと、
前記指向性アンテナに結合されており、前記指向性アンテナに関連する少なくとも２つの角度設定について、（ｉ）前記上りリンクの前記所定の信号の受信電力、および（ｉｉ）前記下りリンクの前記所定の送信信号に関連するチャンネル上のノイズの関数として、評価指標を計算する処理装置と、
前記処理装置に結合されており、前記指向性アンテナを使用する前記通信システムの全パフォーマンスを向上させるために、前記受信電力と前記評価指標の組合せに基づいて、前記指向性アンテナの角度設定を選択するセレクタであって、前記選択された角度は、前記下りリンク方向と前記上りリンク方向の両方の通信のための、次善の角度であることとを備えることを特徴とする装置。
【請求項１５】
前記所定の送信信号は、パイロット信号またはビーコン信号であることを特徴とする請求項１４に記載の装置。
【請求項１６】
前記処理装置は、前記受信電力、前記評価指標または両方に、少なくとも１つの重み付けを適用することを特徴とする請求項１４に記載の装置。
【請求項１７】
前記少なくとも１つの重み付けは、前記指向性アンテナの動作環境または指向性に関連することを特徴とする請求項１６に記載の装置。
【請求項１８】
前記処理装置は、前記動作環境に関連する前記重み付けを計算することを特徴とする請求項１７に記載の装置。
【請求項１９】
前記処理装置は、前記動作環境に関連する前記重み付けを受信することを特徴とする請求項１７に記載の装置。
【請求項２０】
前記指向性アンテナの前記指向性に関連する前記重み付けは、相関係数を含むことを特徴とする請求項１７に記載の装置。
【請求項２１】
前記処理装置は、前記所定の送信信号を探索するために、前記指向性アンテナを制御することを特徴とする請求項１４に記載の装置。
【請求項２２】
前記処理装置は、前記探索時に、前記受信電力および評価指標を計算することを特徴とする請求項２１に記載の装置。
【請求項２３】
前記評価指標は、シンボル当たりのエネルギーを、前記チャンネルの総ノイズで割った値であると定義されることを特徴とする請求項１４に記載の装置。
【請求項２４】
前記処置装置は、それぞれの角度設定について生成された前記組合せの最大値に対応するスキャン角度で、上りリンクを確立しようと試みることを特徴とする請求項１４に記載の装置。
【請求項２５】
前記処理装置が上りリンクを確立することができない場合は、前記組合せのさらに低い値に対応するスキャン角度で再試行することを特徴とする請求項２４に記載の装置。
【請求項２６】
符号分割多重アクセス（ＣＤＭＡ）ネットワーク、周波数分割多重アクセス（ＦＤＭＡ）ネットワーク、時分割多重アクセス（ＴＤＭＡ）ネットワーク、または無線ローカルエリアネットワーク（ＷＬＡＮ）で使用されることを特徴とする請求項１４に記載の装置。
【請求項２７】
下りリンク方向と上りリンク方向の両方向の通信のために、無線通信システムで使用される指向性アンテナの角度設定を決定するための装置であって、
前記指向性アンテナに関連する少なくとも２つの角度設定について、
前記上りリンクの所定の送信信号の受信電力を計算する手段と、
前記下りリンクの前記所定の送信信号に関連するチャンネル上のノイズの関数として、評価指標を計算する手段と、
前記指向性アンテナを使用する前記通信システムの全パフォーマンスを向上させるために、前記受信電力と前記評価指標の組合せに基づいて、前記指向性アンテナの角度設定を選択する手段であって、前記選択された角度は、前記下りリンク方向と前記上りリンク方向の両方の通信のための、次善の角度であることとを含むことを特徴とする装置。
【請求項２８】
前記相関係数は、前記指向性アンテナの自由空間アンテナパターンと前記受信電力の比較であることを特徴とする請求項７に記載の方法。
【請求項２９】
前記相関係数は、すべての角度設定の最大相関係数に対応することを特徴とする請求項２８に記載の方法。
【請求項３０】
前記相関係数は、前記指向性アンテナの前記自由空間アンテナパターンと前記受信電力の比較であることを特徴とする請求項２０に記載の装置。
【請求項３１】
前記相関係数は、すべての角度設定の最大相関係数に対応することを特徴とする請求項３０に記載の装置。